(57)【特許請求の範囲】
【請求項１】
ウエスト用開口部と左右の脚用開口部とを有し、着用者の前側に位置する部分に、その部分を破断するための左右の破断部が略縦方向に沿って設けられた使い捨て吸収性物品であって、
着用者の胴周りにあてがわれる部分を少なくとも構成する外装材と、
吸収体を有し、前記吸収性物品における着用者の股部にあてがわれる部分に配置されて前記外装材の肌面側に接合される吸収性本体と、
前記吸収性物品の外側から直接又は外側の部材を通して視認可能な部分に設けられ、前記破断部の下端部のみの位置を示す指標部と、
を備え、
前記左右の破断部は、前記外装材の着用者の前側に位置する前部における横方向の中心から左右にずれた部分に略縦方向に沿ってそれぞれ設けられ、
前記吸収性本体における前記外装材の前記前部と対向する前側部分の前記横方向の幅は、前記左右の破断部の間隔よりも大きく、前記前側部分の上縁部は、前記外装材の前記前部の上縁部とほぼ重なっているか、又は前記前部の前記上縁部よりも下方に配置されることを特徴とする使い捨て吸収性物品。
【請求項２】
請求項１に記載の使い捨て吸収性物品において、
前記破断部は、その破断部に沿って破断可能な構成となっており、
前記破断部の引っ張り強度について、前記破断部の下側部分がその他の部分よりも小さな引っ張り力で破断可能となっていることを特徴とする使い捨て吸収性物品。
【請求項３】
請求項１又は請求項２に記載の使い捨て吸収性物品において、
前記左右の破断部が破断されたときにその破断された部分を再締結するための左右の締結シート材、及び前記左右の締結シート材が着脱自在に付着される付着部がさらに設けられ、
前記指標部は、前記締結シート材又は前記付着部を形成するシート材に設けられることを特徴とする使い捨て吸収性物品。
【請求項４】
請求項１ないし請求項３のいずれかに記載の使い捨て吸収性物品において、
前記指標部は、前記吸収性物品を構成する材料に印刷により設けられていることを特徴とする使い捨て吸収性物品。
【請求項５】
請求項１又は請求項２に記載の使い捨て吸収性物品において、
基材シートと前記基材シートの自由端側に付与された第１付着部とをそれぞれ有し、前記左右の破断部が破断されたときにその破断された部分を再締結する左右の締結シート材と、
前記外装材の前記前部の外面に設けられ、前記左右の締結シート材の前記第１付着部が着脱自在に付着される第２付着部と、
をさらに備え、
前記左右の締結シート材の前記基材シートは、前記左右の破断部が破断されていないときは、前記外装材の前記前部の肌面側に配置され、前記縦方向に沿った折り畳み線で二つ折りにされた状態で前記前部と対向している部分が前記前部の肌面側に接合され、
前記指標部は、前記外装材の前記前部を形成するシート材、前記締結シート材の前記基材シート、及び前記第２付着部を形成するシート材のうちのいずれかに設けられることを特徴とする使い捨て吸収性物品。
【請求項６】
請求項５に記載の使い捨て吸収性物品において、
前記外装材の前記前部の前記上縁部には、その上縁部に沿ってウエスト用弾性部材が伸張された状態で付与され、前記前部の脚用開口部を形成する縁部には、その縁部に沿って脚用弾性部材が伸張された状態で付与され、前記前部の前記縦方向の中間部には、前記横方向に沿ってボディ用弾性部材が伸張された状態で付与され、
前記指標部は、前記吸収性物品を構成する材料に印刷により設けられ、
前記前部の前記指標部が設けられる領域には、前記脚用弾性部材及び前記ボディ用弾性部材が付与されていないことを特徴とする使い捨て吸収性物品。
【発明の詳細な説明】
【技術分野】
【０００１】
本発明は、破断部を有する使い捨て吸収性物品に関する。
【背景技術】
【０００２】
従来の破断部が設けられた使い捨て吸収性物品としては、特許文献１に記載のものがある。この使い捨て吸収性物品は破断部を破断する前はパンツ型の構成を有し、破断部を破断したあとは締結部材を用いることにより再締結式のおむつのように使用することができるようになっている。
【特許文献１】特表２００４−５２４９２９号公報
【発明の開示】
【発明が解決しようとする課題】
【０００３】
しかしながら、この種の吸収性物品では主な材料として不織布等が用いられることもあり、ミシン目等で構成される破断部の存在が分かりにくいという問題がある。
【０００４】
そこで、本発明の解決すべき課題は、ユーザに破断部の存在を容易に認識させることができる使い捨て吸収性物品を提供することである。
【課題を解決するための手段】
【０００５】
上記の課題を解決するため、請求項１の発明では、ウエスト用開口部と左右の脚用開口部とを有し、着用者の前側に位置する部分に、その部分を破断するための左右の破断部が略縦方向に沿って設けられた使い捨て吸収性物品であって、着用者の胴周りにあてがわれる部分を少なくとも構成する外装材と、吸収体を有し、前記吸収性物品における着用者の股部にあてがわれる部分に配置されて前記外装材の肌面側に接合される吸収性本体と、
前記吸収性物品の外側から直接又は外側の部材を通して視認可能な部分に設けられ、前記破断部の下端部のみの位置を示す指標部と、を備え、前記左右の破断部は、前記外装材の着用者の前側に位置する前部における横方向の中心から左右にずれた部分に略縦方向に沿ってそれぞれ設けられ、前記吸収性本体における前記外装材の前記前部と対向する前側部分の前記横方向の幅は、前記左右の破断部の間隔よりも大きく、前記前側部分の上縁部は、前記外装材の前記前部の上縁部とほぼ重なっているか、又は前記前部の前記上縁部よりも下方に配置される。
【０００７】
また、請求項２の発明では、請求項１の発明に係る使い捨て吸収性物品において、前記破断部は、その破断部に沿って破断可能な構成となっており、前記破断部の引っ張り強度について、前記破断部の下側部分がその他の部分よりも小さな引っ張り力で破断可能となっている。
【０００８】
また、請求項３の発明では、請求項１又は請求項２の発明に係る使い捨て吸収性物品において、前記左右の破断部が破断されたときにその破断された部分を再締結するための締結シート材、及びその締結シート材が着脱自在に付着される付着部がさらに設けられ、前記指標部は、前記締結シート材又は前記付着部を形成するシート材に設けられる。
【０００９】
また、請求項４の発明では、請求項１ないし請求項３のいずれかの発明に係る使い捨て吸収性物品において、前記指標部は、前記吸収性物品を構成する材料に印刷により設けられている。
また、請求項５の発明では、請求項１又は請求項２の発明に係る使い捨て吸収性物品において、基材シートと前記基材シートの自由端側に付与された第１付着部とをそれぞれ有し、前記左右の破断部が破断されたときにその破断された部分を再締結する左右の締結シート材と、前記外装材の前記前部の外面に設けられ、前記左右の締結シート材の前記第１付着部が着脱自在に付着される第２付着部と、をさらに備え、前記左右の締結シート材の前記基材シートは、前記左右の破断部が破断されていないときは、前記外装材の前記前部の肌面側に配置され、前記縦方向に沿った折り畳み線で二つ折りにされた状態で前記前部と対向している部分が前記前部の肌面側に接合され、前記指標部は、前記外装材の前記前部を形成するシート材、前記締結シート材の前記基材シート、及び前記第２付着部を形成するシート材のうちのいずれかに設けられる。
また、請求項６の発明では、請求項５の発明に係る使い捨て吸収性物品において、前記外装材の前記前部の前記上縁部には、その上縁部に沿ってウエスト用弾性部材が伸張された状態で付与され、前記前部の脚用開口部を形成する縁部には、その縁部に沿って脚用弾性部材が伸張された状態で付与され、前記前部の前記縦方向の中間部には、前記横方向に沿ってボディ用弾性部材が伸張された状態で付与され、前記指標部は、前記吸収性物品を構成する材料に印刷により設けられ、前記前部の前記指標部が設けられる領域には、前記脚用弾性部材及び前記ボディ用弾性部材が付与されていない。
【発明の効果】
【００１０】
請求項１に記載の発明によれば、破断部の位置を示す指標部が設けられているため、ユーザに破断部の存在を容易に認識させることができる。
【００１１】
また、指標部を破断部の下端部の位置を示すように設けることにより、外装材等が破断部により破断される際にユーザが誤って内側の吸収性本体等も一緒に破断してしまうトラブルをより効果的に防止できるようになっている。
【００１２】
また、外装材に設けられた破断部をユーザに容易に認識させることができ、誤って吸収性本体が破断されてしまう等のトラブルを防止できる。
【００１３】
請求項２に記載の発明によれば、破断部の下側部分を他の部分に比して小さな引っ張り力で破断できる構成とするとともに、指標部により破断部の破断作業が下側から行われるように案内するため、ユーザに破断部の破断作業を容易に行わせることができる。
【００１４】
また、破断部の引っ張り強度をその下側部分にて部分的に低下させる構成であるため、破断部全体の引っ張り強度を保持しつつ、破断作業を容易にすることができる。
【００１５】
請求項３に記載の発明によれば、指標部を適切な位置に正確かつ容易に設けることができる。すなわち、使い捨て吸収性物品の製造工程において、吸収性物品を構成する部品部材の搬送方向に沿ったサイズが小さいほどその部品材料の搬送速度が遅い傾向にある。締結シート材又は付着部を形成するシート材のサイズは、それらの付与される吸収性物品の本体側の部品部材のサイズよりも小さい。このため、指標部を締結シート材又は付着部を形成するシート材に形成する際に、締結シート材又はシート材の搬送速度が遅いため、指標部をそれらのシート材上の適切な位置に正確かつ容易に設けることができる。
【００１６】
請求項４に記載の発明によれば、指標部が印刷により設けられるため、種々の形態の指標部を容易に形成することができる。
【発明を実施するための最良の形態】
【００１７】
図１は本発明の一実施形態に係る使い捨て吸収性物品（以下、単に「吸収性物品」という）の斜視図であり、図２は図１の吸収性物品において前部左側の破断部を破断して展開した状態を示す斜視図であり、図３は図１の吸収性物品において左右のサイド接合部を展開した状態を示す図であり、図４は図１及び図３のＡ−Ａ断面図である。なお、本明細書において前後左右というときは着用者を基準としており、例えば、その着用者の左手側を左、右手側を右と呼んでいる。また、吸収性物品１の縦方向Ｙ（図３参照）とは吸収性物品１の上下又は前後方向に対応した方向をいい、吸収性物品１の横方向Ｘ（図３参照）とは吸収性物品１の左右方向に対応した方向をいう。
【００１８】
この吸収性物品１は、図１ないし図４に示すように、吸収性物品本体２と、その吸収性物品本体２に設けられる再締結のための締結部材である左右一対の締結シート材３Ｌ，３Ｒとを備えている。吸収性物品本体２は、吸収性物品本体２の外側に設けられる外装材１１と、吸収性物品本体２の股部に対応する位置に配置され、外装材１１の肌面側に接合される吸収性本体１２とを備えている。
【００１９】
外装材１１は、着用者の前腹部にあてがわれる前部１３と、着用者の後背部にあてがわれる背部１４とを備えている。なお、ここでは外装材１１の前部１３と背部１４とが別体で構成された例について示したが、前部１３と背部１４とが連続的に連なって一体で構成されていてもよい。
【００２０】
前部１３の左右の縁部１３ａと背部１４の左右の縁部１４ａとは、互いに向き合った状態で所定の接合手段により接合され、これによって左右のサイド接合部１５が形成されている。このため、この吸収性物品１は、ウエスト用開口部１６と、左右の脚用開口部１７Ｌ，１７Ｒを有するパンツ型の構成を有している。サイド接合部１５の接合手段としては、超音波溶着、加熱溶着、接着剤（例えば、ホットメルト接着剤）による接着等のいずれか一つ又はそれの複数の組み合わせ等により行われる。
【００２１】
前部１３における横方向Ｘの中心から左右にずれた部分には、その前部１３を破断するための破断部１８Ｌ，１８Ｒがそれぞれ設けられている。破断部１８Ｌ，１８Ｒは、ミシン目等からなっており、工場出荷時は破断部１８Ｌ，１８Ｒはつながった状態となっている。そして、ユーザがこの破断部１８Ｌ，１８Ｒを破断することにより、前部１３を破断部１８Ｌ，１８Ｒの位置で分断し、吸収性物品１を展開できるようになっている。このため、例えば、破断部１８Ｌ，１８Ｒがつながっている状態では、脚用開口部１７Ｌ，１７Ｒに脚を通してこの吸収性物品１をはくようにして使用することができる（すなわち、パンツ型の使い捨ておむつとして使用することができる）。また、破断部１８Ｌ，１８Ｒを切り離した状態では、例えば、この吸収性物品１を着用者の臀部にあてがい、おむつのようにして装着することができる（すなわち、再締結可能なテープ型の使い捨ておむつとして使用することができる）。
【００２２】
吸収性本体１２の前部１３と対向する前側部分１２ａは、前部１３の破断部１８Ｌ，１８Ｒの間の中間領域における肌側表面に、接着剤（例えば、ホットメルト接着剤）等の接合手段を用いて接合されている。また、吸収性本体１３の背部１４と対向する背側部分１２ｃは、背部１４の肌側部分に接着剤（例えば、ホットメルト接着剤）等の接合手段を用いて接合されている。
【００２３】
また、吸収性本体１２の前側部分１２ａの横方向Ｘの幅は、破断部１８Ｌ，１８Ｒの間隔よりも大きく設定され、前側部分１２ａの左右の縁部が破断部１８Ｌ，１８Ｒを超えて横方向Ｘ外方に大きく張り出している。このため、破断部１８Ｌ，１８Ｒは、前部１３における吸収性本体１２と重なった部分に設けられている。
【００２４】
左右の締結シート材３Ｌ，３Ｒは、不織布等により形成される略シート状の基材シート２１と、その基材シート２１の自由端側に付与された第１付着部２２とを備えて構成されている。その第１付着部２２は、吸収性物品本体２の前部１３の外面に設けられた第２付着部２３に着脱自在に付着するようになっている。第２付着部２３は、前部１３の破断部１８Ｌ，１８Ｒ間に位置する部分の外面側に設けられている。第１付着部２２及び第２付着部２３は、互いに再付着可能な構成であれば任意の構成を採用することができる。例えば、第１付着部２２と第２付着部２３とが機械的係合により再締結する面ファスナーを構成するようにしてもよい。例えば、第１付着部２２にフック材を用い、第２付着部２３にそのフック材が係合するループ材を用いることができる。この場合、シート状のループ材を前部１３に貼着することにより第２付着部２３を形成するようにしてもよいし、あるいは、前部２３の外面を構成する不織布等の表面そのものを第２付着部２３として利用してもよい。ここでは、代表例として第１付着部２２にフック材、第２付着部２３にループ材が用いられている。このように吸収性物品１の外面に設けられる第２付着部２３をループ材とすることにより、第２付着部２３が不所望に着用者の衣服や寝具に係合してしまったり、製造途中の製造装置に引っ掛かってしまうなどのトラブルを防止できる。
【００２５】
面ファスナーを構成するフック材としては、錨形、鉤形、きのこ形等の複数のフック部を有するポリオレフィン製のフック材を用いることができる。ループ材としては、織布、編み布、不織布等のフック材と係合しうるループ材であれば任意のものが利用できる。
【００２６】
他の具体例として、第１付着部２２にループ材を用い、第２付着部２３にフック材を用いるようにしてもよい。また、第１付着部２２に粘着シートを用い、その粘着シートが第２付着部２３に着脱自在に付着するようにしてもよい。
【００２７】
締結シート材３Ｌ，３Ｒの基材シート２１は、本体部２１ａと、その本体部２１ａから上下に二股に分かれて基材シート２１の自由端側に延設された２つの舌片部２１ｂとを有している。この基材シート２１は縦方向Ｙに沿った折り畳み線で二つ折りにされた状態で、本体部２１ａの前部１３と対向している部分が、接着剤（例えば、ホットメルト接着剤）等の接合手段により前部１３の肌面側に接合されている。
【００２８】
そして、このような締結シート材３Ｌ，３Ｒは、前部１３の破断部１８Ｌ，１８Ｒを破断したときに、締結シート材３Ｌ，３Ｒの折り返した部分を図２の矢印Ｅ１で示すように展開できるようになっている。そして、その展開した締結シート材３Ｌ，３Ｒの第１付着部２２を前部１３の第２付着部２３に付着させることにより、この吸収性物品１をおむつのようして着用者にあてがって装着することができるようになっている。これによって、締結シート材３Ｌ，３Ｒを着脱することにより、後述する吸収体４１の汚れを確認したり、締結シート材３Ｌ，３Ｒの第２付着部２３への付着位置を調節して吸収性物品１を着用者の体型にフィットさせることができる。また、締結シート材３Ｌ，３Ｒが左右に備えているため、左右の両側で再締結が可能な吸収性物品１を構成できる。
【００２９】
また、吸収性本体１２の前側部分１２ａにおける破断部１８Ｌ，１８Ｒの横方向Ｘ外方に位置する左右の張出領域には、前部１３側を向いた面に付着部材２４が接着剤（例えば、ホットメルト接着剤）等の接合手段により接合されている。この付着部材２４は、吸収性本体１２の前側部分１２ａにおける前記張出領域を前部１３側に付着させるためのものであり、例えばフック材により構成されている。
【００３０】
前部１３の上縁部には、その上縁部に沿ってウエスト用弾性部材２６が伸張された状態で付与されている。また、背部１４の上縁部には、その上縁部に沿ってウエスト用弾性部材２７が伸張された状態で付与されている。また、前部１３及び背部１４の脚用開口部１７Ｌ，１７Ｒを形成する縁部には、その縁部に沿って脚用弾性部材２８，２９が伸張された状態で付与されている。また、前部１３の左右の両脇部分における着用者の胴周りに位置する部分（前部１３の縦方向Ｙの中間部）には、横方向Ｘに沿ってボディ用弾性部材３０が伸張された状態で付与されている。また、背部１４における着用者の胴周りに位置する部分（背部１４の縦方向Ｙの中間部）には、吸収性本体１２が接合される部分を避けて、横方向Ｘに沿ってボディ用弾性部材３１が伸張された状態で付与されている。
【００３１】
前部１３は、不織布等からなる２枚のシート材３６，３７の間に、弾性部材２６，２８，３０を挟み込んで構成されている。シート材３６，３７同士の接合及び弾性部材２６，２８，３０のシート材３６，３７への接合は、接着剤（例えば、ホットメルト接着剤）、熱溶着、超音波溶着等の接合手段を用いて行われる。また、図示は省略するが、背部１４も、不織布等からなる２枚のシート材の間に、弾性部材２７，２９，３１を挟み込んで構成されている。
【００３２】
吸収性本体１２は、図３及び図４に示すように、着用者の排泄物を吸収する吸収体４１が備えられた本体部４２と、左右の起立部４３と備えて構成されている。本体部４２は、吸収体４１を撥水性又は不透液性のバックシート４４と透液性のトップシート４５とによって挟み込んで構成されている。起立部４３は、バックシート４４及びトップシート４５の左右両側の縁部が重ね合わされた状態で互いに接合されて本体部４１の肌面側に折り返されることにより形成されている。バックシート４４とトップシート４５との接合、及び吸収体４１のバックシート４４又はトップシート４５への接合は、接着剤（例えば、ホットメルト接着剤）等の接合手段により行われる。起立部４３の自由端部では、バックシート４４の左右の外縁部が略袋状に内側に折り返され、バックシート４４中に包み込まれるようにして起立用弾性部材４６がその自由端部に沿って伸張された状態で付与されている。そして、この起立用弾性部材４６の収縮力によって、起立部４３が着用者の肌面側に立ち上がり、肌面にフィットするようになっている。
【００３３】
また、本実施形態に係る吸収性物品１では、図１に示すように、破断部１８Ｌ，１８Ｒの位置を示す指標部５１が設けられている。このため、ユーザに破断部１８Ｌ，１８Ｒの存在を容易に認識させることができるようになっている。指標部５１の配設位置や形態等については、破断部１８Ｌ，１８Ｒの位置をユーザに容易に認識させることできれば任意の構成が採用可能である。
【００３４】
より具体的には、指標部５１が破断部１８Ｌ，１８Ｒの下端部の位置を示すように各破断部１８Ｌ，１８Ｒごとに設けられている。指標部５１の形は矢印形が採用されており、その矢印の先端が各破断部１８Ｌ，１８Ｒの下端部を指すようにして設けられている。より詳細には、指標部５１は破断部１８Ｌ，１８Ｒの横方向Ｘ外方側に設けられている。指標部５１の色は吸収性物品１の基材シートと異なる色が採用されている。
【００３５】
このように、指標部５１を破断部１８Ｌ，１８Ｒの下端部の位置を示すように設けることにより、破断部１８Ｌ，１８Ｒにて前部１３が破断される際にユーザが誤って吸収性本体１２も一緒に破断してしまうトラブルをより効果的に防止できるようになっている。すなわち、一般に本実施形態に係る吸収性物品１のように吸収性本体１２の上縁部は前部１３の上縁部とほぼ重なっているか、それよりも下方に配置されているため、ユーザから見て吸収性本体１２の上縁部が視認しにくい構成となっている。このため、本実施形態に係る吸収性物品１のように、破断部１８Ｌ，１８Ｒが前部１３における吸収性本体１２と重ね合われた部分に設けられている場合には、上端部から破断部１８Ｌ，１８Ｒの破断が行われると、吸収性本体１２が前部１３と一緒に破断されてしまうことがある。そこで、本実施形態では、指標部５１によってユーザの注意を破断部１８Ｌ，１８Ｒの下端部に振り向けさせ、破断が破断部１８Ｌ，１８Ｒの下端部から行われるように誘導することにより、誤って吸収性本体１２が前部１３と一緒に破断されてしまうトラブルを防止するようにしている。
【００３６】
また、破断部１８Ｌ，１８Ｒの引っ張り強度（破断部１８Ｌ，１８Ｒを引っ張って破断させるのに必要な力）について、破断部１８Ｌ，１８Ｒの下側部分がその他の部分よりも小さな引っ張り力で破断可能とされている。より具体的には、破断部１８Ｌ，１８Ｒの引っ張り強度として、破断部１８Ｌ，１８Ｒの下側部分（例えば、下端から所定寸法（例えば、約５０ｍｍ）の区間、又は破断部１８Ｌ，１８Ｒの全長に対して下端から所定割合（例えば、約１０〜約３０％）の区間について、ミシン目のパターンを変化させるなどの方法により、破断部１８Ｌ，１８Ｒの他の部分よりも引っ張り強度が小さく設定されている。この引っ張り強度を低下させる割合は、例えば約１０％に設定される。なお、破断部１８Ｌ，１８Ｒの下側部分以外の部分の引っ張り強度は、１０〜６０Ｎ／５０ｍｍ（幅５０ｍｍに対する破断に必要な力）、より好ましくは２０〜５０Ｎ／５０ｍｍに設定される。引っ張り強度に関する試験は、例えば、株式会社島津製作所製のオートグラフＡＧ−１０ｋＮＩ以下の装置に、ロードセル（例えば、型番ＳＢＬ−５００Ｎ）をセットして行った。より具体的には、例えば、吸収性物品１の外装材１１の前部１３から、破断部１８Ｌ，１８Ｒを含むように切り取ってサンプルを作成する。サンプルは、上下方向に５０ｍｍ、左右方向に３０〜１２０ｍｍの大きさとなるように切り取る。左右方向の長さは試験装置のチャックにつかめるように調整できていればよい。そのサンプルのミシン目（破断部１８Ｌ，１８Ｒ）から両側に約１２．５ｍｍ離れた位置にミシン目と平行な線を引き、その線に沿ってサンプルをチャックで挟む（このときのチャック間距離は２５ｍｍとなっている）。そして、試験速度３００ｍｍ／ｍｉｎでサンプルを引っ張り、引っ張り開始から破断するまでの過程における最大点強度を測定し、引っ張り強度とする。
【００３７】
このように、破断部１８Ｌ，１８Ｒの下側部分を他の部分に比して小さな引っ張り力で破断できる構成とするとともに、指標部５１により破断部１８Ｌ，１８Ｒの破断作業が下側から行われるように案内するため、ユーザに破断部１８Ｌ，１８Ｒの破断作業を容易に行わせることができる。
【００３８】
また、破断部１８Ｌ，１８Ｒの引っ張り強度をその下側部分にて部分的に低下させる構成であるため、破断部１８Ｌ，１８Ｒ全体の引っ張り強度を保持しつつ、破断作業を容易にすることができる。
【００３９】
また、指標部５１は吸収性物品１を構成する材料に印刷により設けられている。これによって、種々の形態の指標部５１を容易に形成することができる。
【００４０】
また、指標部５１は、吸収性物品１の外側表面の直接視認可能な部分に設けてもよいし、あるいは、吸収性物品１の外側の部材を通して視認可能な部分に設けてもよい。なぜなら、吸収性物品１を構成する不織布等のシート材は、そのシート材を透して裏面側の様子を視認できるものがよく用いられるためである。
【００４１】
例えば、指標部５１を破断部１８Ｌ，１８Ｒの横方向Ｘ外方側に設ける場合には、前部１３の外側のシート材３６に印刷して設けた構成、指標部５１を締結シート材３Ｌ，３Ｒの基材シート２１の本体部２１ａに設けた構成等が考えられる。
【００４２】
ここで、指標部５１を締結シート材３Ｌ，３Ｒの基材シート２１に設ける構成には、指標部５１を適切な位置に正確かつ容易に設けることができるという利点がある。すなわち、吸収性物品１の製造工程において、吸収性物品１を構成する部品部材の搬送方向に沿ったサイズが小さいほどその部品材料の搬送速度が遅い傾向にある。基材シート２１のサイズは、それらの付与される吸収性物品１の本体側の部品部材（例えば、前部１３）のサイズよりも小さい。このため、指標部５１を印刷等により基材シート５１に形成する際に、基材シート２１の搬送速度が遅いため、指標部５１を基材シート５１上の適切な位置に正確かつ容易に設けることができる。
【００４３】
以下に、図５ないし図６を参照して、図１に示す指標部１５に関する構成の変形例について説明する。
【００４４】
図５に示す構成では、指標部５１が、破断部１８Ｌ，１８Ｒの横方向Ｘ内方側において第２付着部２３を構成するシート材（例えば、ループ材）に印刷されて設けられている。このように指標部５１を付着部２３を構成するシート材に設けた場合にも、指標部５１を基材シート２１に設けた前述の構成と同様な効果が得られる。
【００４５】
図６に示す構成では、指標部５１が、吸収性本体１２の外側表面に設けられている。
【００４６】
また、前述の実施形態では破断部１８Ｌ，１８Ｒ及び指標部５１を前部１３に設けたが、これらを背部１４に設けてもよい。
【図面の簡単な説明】
【００４７】
【図１】本発明の一実施形態に係る使い捨て吸収性物品の斜視図である。
【図２】図１の使い捨て吸収性物品において前部左側の破断部を破断して展開した状態を示す斜視図である。
【図３】図１の使い捨て吸収性物品において左右のサイド接合部を展開した状態を示す図である。
【図４】図１及び図３のＡ−Ａ断面図である。
【図５】図１の構成の変形例を示す斜視図である。
【図６】図１の構成の変形例を示す斜視図である。
【符号の説明】
【００４８】
１  吸収性物品、２  吸収性物品本体、３Ｌ，３Ｒ  締結シート材、１１  外装材、１２  吸収性本体、１２ａ  前側部分、１２ｃ  背側部分、１３  前部、１３ａ  縁部、１４  背部、１４ａ  縁部、１５  サイド接合部、１６  ウエスト用開口部、１７Ｌ，１７Ｒ  脚用開口部、２１  基材シート、２１ａ  本体部、２１ｂ  舌片部、２２  第１付着部、２３  第２付着部、２４  付着部材、２６，２７  ウエスト用弾性部材、２８，２９  脚用弾性部材、３０，３１  ボディ用弾性部材、３６，３７  シート材、４１  吸収体、４２  本体部、４３  起立部、４４  バックシート、４５  トップシート、４６  起立用弾性部材、５１  指標部。
【図１】
0004801498.tif 000002
【図２】
0004801498.tif 000003
【図３】
0004801498.tif 000004
【図４】
0004801498.tif 000005
【図５】
0004801498.tif 000006
【図６】
0004801498.tif 000007